【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
可聴周波数信号を増幅し、負荷に供給する増幅手段と、
この増幅手段から前記負荷に供給される電流を検出し、その大きさを表す電流検出信号を生成する電流検出手段と、
前記増幅手段から前記負荷に供給される電圧を検出し、その大きさを表す電圧検出信号を生成する電圧検出手段と、
前記電流検出信号と前記電圧検出信号とが供給され、両者の差を表す差信号を生成する差生成手段と、
前記増幅手段に設けられ、前記電流検出信号が前記電圧検出信号よりも大きいときの差信号の大きさに応じて前記可聴周波数信号のレベルを調整するレベル調整手段とを具備し、
前記レベル調整手段は、
前記差信号にそれと逆極性のバイアス信号を重畳したバイアス重畳差信号を出力するバイアス重畳手段と、
前記バイアス重畳差信号をこれと同相の同相信号と逆相の逆相信号とに変換し、前記同相信号を同相出力端子に、前記逆相信号を逆相出力端子に出力する変換手段と、
前記同相出力端子に一端が接続され、他端が前記増幅手段中の入力側増幅手段の出力側に接続された第１のダイオードと、
前記逆相出力端子に一端が接続され、他端が前記入力側増幅手段の出力側に接続された第２のダイオードとを具備し、
前記バイアス信号は、前記入力側増幅出段の出力信号のピーク値の絶対値よりも絶対値が小さく、極性が、前記負荷電流検出信号が前記負荷電圧検出信号よりも大きいときの前記差信号の極性と逆であり、
前記負荷電流検出信号が前記負荷電圧検出信号よりも大きいときに導通する方向で、第１のダイオードは、前記同相端子と前記入力側増幅手段の出力側に、第２のダイオードは、前記逆相端子と前記入力側増幅手段の出力側に、それぞれ接続されている
ことを特徴とする増幅器。
【請求項２】
請求項１記載の増幅器において、前記変換手段の同相端子と基準電位との間に第３のダイオードが接続され、前記変換手段の逆相端子と前記基準電位との間に第４のダイオードが接続され、第３及び第４のダイオードは、前記差信号の絶対値が前記バイアス信号の絶対値よりもオン電圧だけ大きくなったとき、導通する方向に配置されている増幅器。
【手続補正２】
【補正対象書類名】明細書
【補正対象項目名】０００７
【補正方法】変更
【補正の内容】
【０００７】
本発明の一態様の増幅器は、可聴周波数信号を増幅し、負荷に供給する増幅手段を有している。この増幅手段としては、Ａ級、Ｂ級、ＡＢ級のアナログ増幅手段を使用することもできるし、一般的にＤ級のデジタル増幅手段を使用することもできる。この増幅手段としては電力増幅手段を使用することが望ましい。増幅手段から負荷、例えばスピーカに供給される電流を電流検出手段が検出し、その大きさを表す電流検出信号を生成する。増幅手段から負荷に供給される電圧を電圧検出手段が検出し、その大きさを表す電圧検出信号を生成する。電流検出信号と電圧検出信号とが差生成手段に供給され、差生成手段は両者の差を表す差信号を生成する。増幅手段にレベル調整手段が設けられている。レベル調整手段は、差信号にそれと逆極性のバイアス信号を重畳したバイアス重畳差信号を出力するバイアス重畳手段と、前記バイアス重畳差信号をこれと同相の同相信号と逆相の逆相信号とに変換し、前記同相信号を同相出力端子に、前記逆相信号を逆相出力端子に出力する変換手段と、前記同相出力端子に一端が接続され、他端が前記増幅手段中の入力側増幅手段の出力側に接続された第１のダイオードと、前記逆相出力端子に一端が接続され、他端が前記入力側増幅手段の出力側に接続された第２のダイオードとを具備している。前記バイアス信号は、前記入力側増幅出段の出力信号のピーク値の絶対値よりも絶対値が小さく、極性が、前記負荷電流検出信号が前記負荷電圧検出信号よりも大きいときの前記差信号の極性と逆である。前記負荷電流検出信号が前記負荷電圧検出信号よりも大きいときに導通する方向で、第１のダイオードは、前記同相端子と前記入力側増幅手段の出力側に接続され、第２のダイオードは、前記逆相端子と前記入力側増幅手段の出力側に、接続されている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１７
【補正方法】変更
【補正の内容】
【００１７】
本発明の参考例の増幅器は、例えば電力増幅器であって、パブリックアドレスシステムに使用される。この増幅器は、図１に示すように、レベル調整手段、例えばゲイン可変増幅手段、具体的には電圧制御増幅器２を有している。電圧制御増幅器２には、可聴周波数信号源、例えば音源４からの可聴周波数信号、例えばアナログ音声信号が供給されている。電圧制御増幅器２で増幅された音声信号は、増幅手段、例えばデジタルアンプ部６に供給される。
【手続補正９】
【補正対象書類名】明細書
【補正対象項目名】００２９
【補正方法】変更
【補正の内容】
【００２９】
本発明の１実施形態の増幅器は、参考例の電圧増幅器２に代えて、図３に示すように、クリップ回路を使用したものである。参考例の増幅器と同一部分には同一符号を付して、その説明を省略する。
【手続補正１０】
【補正対象書類名】明細書
【補正対象項目名】００３０
【補正方法】変更
【補正の内容】
【００３０】
この増幅器では、電圧増幅器２に代えて、入力側増幅手段、例えば２段の増幅器３０ａ、３０ｂが使用されている。増幅器３０ａには、音源４からの音声信号が供給され、増幅器３０ａは、これを増幅して、増幅器３０ｂに供給する。増幅器３０ｂは、増幅器３０ａの出力信号を更に増幅して、デジタルアンプ部６に供給する。
【手続補正１１】
【補正対象書類名】明細書
【補正対象項目名】００４４
【補正方法】変更
【補正の内容】
【００４４】
上記の実施形態では、デジタルアンプ部６を使用したが、これに限ったものではなく、アナログアンプ部を使用することもできる。また、上記の実施形態では、定格負荷時に負荷電流検出信号と負荷電圧検出信号の値を等しくするために、負荷電圧検出信号のレベルを増幅器１６によって調整したが、負荷電流検出信号のレベルを調整することもできるし、負荷電流検出信号及び負荷電圧検出信号双方のレベルを調整することもできる。また、減算回路１８では、清流負荷電流検出信号が清流負荷電圧検出信号よりも大きいときに、誤差信号が負極性になるように構成したが、逆に正極性となるように構成することもできる。但し、その場合、制御電圧増幅器２は、正極性の乗算誤差信号が供給されたとき、ゲインを小さくするように構成する。また、増幅器２０を設けて、誤差信号に係数を乗算したが、電圧制御増幅器２の特性等によっては、増幅器２０を除去することもできる。
【手続補正１２】
【補正対象書類名】明細書
【補正対象項目名】００４５
【補正方法】変更
【補正の内容】
【００４５】
上記の実施形態では、バイアス電圧を正極性としたが、増幅器２０からの乗算誤差信号が正極性の場合、バイアス電圧は負極性とする。その場合、ダイオード３４、３８、５０、５２は、図３に示したものと反対に、ダイオード３４のカソードとダイオード３８のアノードを抵抗器３２ｂ、３２ｃの接続点に接続し、ダイオード３４のアノードを非反転増幅器３６の出力側に接続し、ダイオード３８のカソードを反転増幅器４０の出力側に接続し、ダイオード５０のカソードとダイオード５２のアノードを接地電位に接続し、ダイオード５０のアノードを非反転増幅器３６の出力側に、ダイオード５２のカソードを反転増幅器４０の出力側に接続する。
【手続補正１３】
【補正対象書類名】明細書
【補正対象項目名】００４６
【補正方法】変更
【補正の内容】
【００４６】
【図１】本発明の参考例の増幅器のブロック図である。
【図２】図１の増幅器の負荷電圧対負荷電流特性と、清流負荷電圧対清流負荷電圧特性とを示す図である。
【図３】本発明の１実施形態の増幅器の一部のブロック図である。